(57)【要約】    【課題】  メモリカード及び類似するカード類を通信端末自体が保管可能として、通信端末の利便性を向上させる。    【解決手段】  電池パック３を覆う電池カバー４に付帯品収納部を形成した。    【選択図】          図２
2005286494.tif 000002
【特許請求の範囲】
【請求項１】
電池パックを覆う電池カバーに付帯品収納部を形成したことを特徴とする携帯通信端末機。
【発明の詳細な説明】
【技術分野】
【０００１】
本発明は携帯電話に代表される携帯通信端末機に関するものである。
【背景技術】
【０００２】
近年携帯電話等の携帯通信端末の普及は目覚ましく、多機能化が進み、携帯電話本来の電話機能の充実は勿論、携帯電話に付随する機能の充実が携帯電話の付加価値を増すものとして、需用者の関心を集めている。
【０００３】
付加機能として、例えばインターネット接続機能、静止画、動画の撮像機能、送受信機能等は携帯電話には不可欠な機能となっており、特に静止画、動画の撮像機能の高画素化が進む等、データの処理量は増加の一途となっている。この為、携帯電話に内蔵されたメモリだけでは対応ができず、外部記録媒体として着脱可能なコンパクトフラッシュ（登録商標）、スマートメディア（商品名）等のメモリカードが用いられる様になっている。又、より多くの画像を保存する要望も多く、複数枚のメモリカードが使用される状況となりつつある。
【０００４】
従来、メモリカードを外部記録媒体とする携帯電話では、装着されたメモリカードを除き、保持、収納する機能はなく、予備のメモリカードが必要な場合は、携帯電話使用者は携帯電話とは個別に保管しており、メモリカードの交換の度にバッグ等の収納部から探して着脱を行っている。この為、迅速な交換ができない、又予備のメモリカードを携帯することを忘れる等という不便さもあった。
【０００５】
尚、外部記録媒体を有する携帯電話として、特許文献１に示されるものがある。
【０００６】
【特許文献１】特開２００２−２４５９９５号公報
【発明の開示】
【発明が解決しようとする課題】
【０００７】
本発明は斯かる実情に鑑み、メモリカード及び類似するカード類を通信端末自体が保管可能として、通信端末の利便性を向上させようとするものである。
【課題を解決するための手段】
【０００８】
本発明は、電池パックを覆う電池カバーに付帯品収納部を形成した携帯通信端末機に係るものである。
【発明の効果】
【０００９】
本発明によれば、電池パックを覆う電池カバーに付帯品収納部を形成したので、付帯品の収りが向上し、付帯品の取扱い性が向上する等の優れた効果を発揮する。
【発明を実施するための最良の形態】
【００１０】
以下、図面を参照しつつ本発明を実施する為の最良の形態を説明する。
【００１１】
図１〜図６に於いて、本発明の第１の実施の形態について説明する。
【００１２】
携帯電話１の背面下部には電池収納部２が形成され、該電池収納部２に電池パック３が収納される。
【００１３】
該電池パック３は電池カバー４によって覆われ、該電池カバー４は前記携帯電話１の本体ケース５に着脱可能となっており、該本体ケース５は、前記電池収納部２の上部に係合凹部６と前記電池収納部２の側部に係合溝部７を有している。前記電池カバー４は上端に係合凸部８、側部に係合鉤部９を具備し、前記電池カバー４を前記本体ケース５に対してスライドさせながら嵌込むことで、前記係合鉤部９が前記係合溝部７に係合し、前記係合凸部８が前記係合凹部６に係合することで、前記電池カバー４が前記本体ケース５に取付けられる様になっている。
【００１４】
前記電池カバー４が前記本体ケース５に取付けられた状態で、前記電池パック３が固定保持される様になっている。
【００１５】
図５、図６により前記電池カバー４について説明する。
【００１６】
該電池カバー４は電池カバー部１１及び該電池カバー部１１の下端に回転可能に取付けられた蓋部１２を有し、該蓋部１２は前記電池カバー部１１との間に付帯品収納部１０を形成する。該付帯品収納部１０には付帯品であるコンパクトフラッシュ（登録商標）、スマートメディア（商品名）等のメモリカードが収納可能となっている。
【００１７】
前記電池カバー部１１は、前記本体ケース５にスライド可能に嵌合する側枠部１１ａと前記電池パック３を覆う平板部１１ｂから形成され、前記係合凸部８は前記平板部１１ｂの上端に、又前記係合鉤部９は前記側枠部１１ａにそれぞれ形成されている。
【００１８】
前記電池カバー部１１の下端部には軸受部１３，１３が所要の間隔を明けて形成され、該軸受部１３の内側面に軸凸部１４（図１参照）が形成されている。又、前記平板部１１ｂの周縁に沿って掛止孔１５が所要箇所に穿設されている。
【００１９】
前記蓋部１２には、前記軸受部１３，１３間に嵌合する支持部１２ａが形成され、該支持部１２ａの両側面には前記軸凸部１４に嵌合可能な軸穴部１６（図１参照）が形成され、該軸穴部１６が前記軸凸部１４に嵌合することで、前記蓋部１２は前記電池カバー部１１に対して回転可能に取付けられる。
【００２０】
前記蓋部１２には周縁に沿って掛止片１７が突設されており、該掛止片１７は前記掛止孔１５に嵌脱可能であり、前記蓋部１２が閉じられた状態（該蓋部１２が前記電池カバー部１１に密着した状態（図６参照））で、前記掛止片１７は前記掛止孔１５に嵌合し、前記掛止片１７は前記掛止孔１５に弾性力で掛止される様になっており、例えば図６に於いて、幅方向の押圧力を付与して前記蓋部１２を上方に引上げることで前記掛止片１７が前記掛止孔１５から外れる様になっている。尚、図中１８は手掛りの為の突起である。
【００２１】
前記蓋部１２の断面形状は扁平な凹字状であり、該蓋部１２が前記電池カバー部１１に対して閉じられた状態で、該電池カバー部１１との間に前記付帯品収納部１０が形成され、該付帯品収納部１０はコンパクトフラッシュ（登録商標）等の外部記録媒体１９が収納可能となっている。
【００２２】
尚、図示では、前記付帯品収納部１０は単に空間を示しているが、コンパクトフラッシュ（登録商標）、スマートメディア（商品名）、ＳＤメモリカード（商品名）等、収納する外部記録媒体１９の種類に合わせた形状とし、収納した外部記録媒体１９がガタつかない様に、前記電池カバー部１１或は前記蓋部１２に外部記録媒体保持用の爪、溝等を適宜形成する。
【００２３】
前記外部記録媒体１９を前記付帯品収納部１０に収納する場合は、前記蓋部１２を開け（図５参照）、前記電池カバー部１１又は前記蓋部１２に前記外部記録媒体１９を保持させ、前記蓋部１２を閉じる。
【００２４】
前記外部記録媒体１９を取出す場合は、前記蓋部１２を開いて、前記外部記録媒体１９を取出す。
【００２５】
該外部記録媒体１９が携帯電話１と一体に収納されるので、外部記録媒体１９を探すことなく、直ちに使用が可能であり、利便性が向上する。又予備の外部記録媒体１９を収納することで、データの大容量化に対応ができ、前記外部記録媒体１９の収りもよくなる。
【００２６】
尚、上記説明では、前記付帯品収納部１０に外部記録媒体１９を収納した場合を示したが、その他名刺、カード、携帯用ティッシュペーパ等を収納可能としてもよい。
【００２７】
図７〜図１０は第２の実施の形態の電池カバー４を示すものであり、該第２の実施の形態では、前記蓋部１２と前記電池カバー部１１とを一体構造としたものである。
【００２８】
前記第２の実施の形態に係る電池カバー２１は、内部が電池カバー部２２によって仕切られて付帯品収納部２３が形成され、該付帯品収納部２３に前記外部記録媒体１９が収納可能となっている。前記付帯品収納部２３は上端に開口部２４が形成され、該開口部２４は蓋２５によって開閉可能となっている。
【００２９】
該蓋２５の基端両側には突起２６が形成され、前記電池カバー２１の前記開口部２４に臨接して凹部が形成され、該凹部に前記突起２６が回転可能に嵌合する。前記蓋２５は、前記突起２６を介して前記電池カバー２１に回転可能に取付けられる。又、前記蓋２５の先端両側には突起２７が形成され、前記電池カバー２１の前記開口部２４に臨接する側面には前記突起２７と対応して凹部２８が形成され、前記蓋２５が前記開口部２４を閉塞した状態で前記突起２７が前記凹部２８に係合する様になっている。
【００３０】
又、前記蓋２５の先端の一部２５ａ（例えば中央部）が盛上がっており、前記電池カバー２１の表面より突出し、前記一部２５ａは前記蓋２５開閉時の手掛りとなる。
【００３１】
第２の実施の形態に於いて、前記付帯品収納部２３は単に空間を示しているが、該付帯品収納部２３はコンパクトフラッシュ（登録商標）、スマートメディア（商品名）、ＳＤメモリカード（商品名）等、収納する外部記録媒体１９の種類に合わせた形状とし、収納した外部記録媒体１９がガタつかない様に、或は挿脱が円滑に行える様に前記電池カバー部２２に外部記録媒体保持用の溝等を適宜形成する。
【００３２】
又、前記付帯品収納部２３は、複数枚の外部記録媒体１９を収納可能とし、或は単一の外部記録媒体１９に限らず、種類の異なる外部記録媒体１９を収納可能としてもよい。
【００３３】
尚、上記実施の形態では、付帯品収納部と電池収納部２とを電池カバー部１１或は電池カバー部２２で仕切ったが、前記電池パック３の外装が絶縁構造となっている場合は、該電池パック３を覆う平板部１１ｂ、仕切板は必要なく、前記電池カバー部１１の適宜箇所、前記電池カバー部２２の適宜箇所に電池パック３を押圧する突起等が形成されればよい。
【図面の簡単な説明】
【００３４】
【図１】本発明の第１の実施の形態を示す背面図である。
【図２】本発明の第１の実施の形態を示す側面図である。
【図３】本発明の第１の実施の形態に於いて電池カバーを取外した場合の背面図である。
【図４】本発明の第１の実施の形態に於いて電池カバーを取外した場合の側面図である。
【図５】電池カバーの側断面図である。
【図６】図１のＡ−Ａ矢視図である。
【図７】本発明の第２の実施の形態に於ける電池カバーを示す背面図である。
【図８】本発明の第２の実施の形態に於ける電池カバーを示す側面図である。
【図９】図７のＢ−Ｂ矢視図である。
【図１０】図７のＣ矢視図である。
【符号の説明】
【００３５】
１              携帯電話
２              電池収納部
３              電池パック
４              電池カバー
５              本体ケース
１０            付帯品収納部
１１            電池カバー部
１２            蓋部
２１            電池カバー
２２            電池カバー部
２３            付帯品収納部
２５            蓋
【図１】
2005286494.tif 000003
【図２】
2005286494.tif 000004
【図３】
2005286494.tif 000005
【図４】
2005286494.tif 000006
【図５】
2005286494.tif 000007
【図６】
2005286494.tif 000008
【図７】
2005286494.tif 000009
【図８】
2005286494.tif 000010
【図９】
2005286494.tif 000011
【図１０】
2005286494.tif 000012